(57)【要約】【課題】ココヤシダストを主原料とする培土において、植物に悪影響を及ぼすことなく、植物の発芽や成長を良好に促進させることができるココヤシダスト改質培土を提供する。【解決手段】リン酸またはリン酸塩から選ばれる１種以上を含む培土改質剤によりココヤシダストを改質したものである。具体的には、リン酸またはリン酸塩により腐熟化処理を行った後、水酸化カルシウムまたはカルシウム塩により適正なｐＨ値に調整し、かつ炭酸カルシウム及びドロマイトの両方又はいずれか一方により適正なｐＨ値に安定化させたココヤシダストよりなるものである。【特許請求の範囲】
【請求項１】
リン酸またはリン酸塩から選ばれる１種以上を含む培土改質剤によりココヤシダストを改質したことを特徴とするココヤシダスト改質培土。
【請求項２】
リン酸またはリン酸塩により腐熟化処理を行った後、水酸化カルシウムまたはカルシウム塩により適正なｐＨ値に調整し、かつ炭酸カルシウム及びドロマイトの両方又はいずれか一方により適正なｐＨ値に安定化させたココヤシダストよりなることを特徴とする請求項１記載のココヤシダスト改質培土。
【発明の詳細な説明】
【０００１】
【発明の属する技術分野】
本発明は、ココヤシダストを主原料とする改質培土（以下、「ココヤシダスト改質培土」と云う）に係り、植物に悪影響を与えることなく植物の発芽や成長を良好に促進させることができるココヤシダスト改質培土に関するものである。
【０００２】
【従来の技術】
従来、農園芸用や造園土木用の作物、草花、緑化樹木等の混合培土の有機質資材としては、ピートモス、バーク或いはココヤシダスト等が使用され、無機質資材としては、パーライトや赤玉土等が使用されている。また、施設園芸における水耕栽培では、ロックウール、バーク或いはココヤシダスト等が作物育成用の培土として使用されている。
【０００３】
ところで、ココヤシ・ハスクの長繊維及び短繊維を取り除いた後のココヤシダスト、樹皮叩解物或いは残渣物は、土壌中で生分解し難く、乾燥時の撥水性が低く、また保水・保肥力が高い等の理由で培土原料としての優れた性質を有するものであるが、ココヤシダストを主原料とする培土には塩分が多量に含まれるため、植物の育成に悪影響を与えるという欠点があった。このような塩分の除去には、ココヤシダストを少なくとも１〜２年間、野外に放置する必要があるため、ココヤシダストによる改質培土を短期間で大量生産することは不可能であった。
【０００４】
一方、水耕栽培においては、多量に水分が使用され、常に培土が洗われているため、ココヤシダストの塩類や含有有機質の生分解性は問題とされないが、緩効性肥料を用いた土耕ベースの施設園芸において、Ｃ／Ｎ比の高いココヤシダストを培土として使用すると、含有有機質の微生物分解により炭素源に比べて窒素源が不足するため、作物の窒素飢餓を引き起こし、生長遅延、収穫量の低下を招く原因となる。
【０００５】
従って、従来、ココヤシダストの多くは産業廃棄物として処理されていたが、近年になって硫酸第一鉄等の鉄塩で化学促成処理されてなるブラックココと称される改質培土（特開２０００−２３５６０公報）が市場に出回るようになっている。しかしながら、このブラックココは、窒素不足による窒素飢餓の解消には至っておらず、硫酸イオンによる急激な培土の酸性化及び還元状態での硫化水素の発生によって作物の根が損傷するという欠点を有する。
【０００６】
また、硫酸第一鉄で化学処理されたブラックココを原料とする培土は、作物に深刻なリン不足を起こして生育不良を生じ、またカルシウム不足を起こして例えばトマトのしり腐れ病を発生し、さらに硫化水素（Ｈ２Ｓ）を発生して作物に異臭を生じたり、鉄分（Ｆｅ）のために作物が赤変する原因となっていた。
【０００７】
【発明が解決しようとする課題】
本発明の目的は、以上のような問題点を解消するためになされたもので、ココヤシダストを主原料とする培土において、植物に悪影響を及ぼすことなく、植物の発芽や成長を良好に促進させることができるココヤシダスト改質培土を提供することを目的とする。
【０００８】
【課題を解決するための手段】
上記の問題点を解消するために、本発明における請求項１のココヤシダスト改質培土は、リン酸またはリン酸塩から選ばれる１種以上を含む培土改質剤によりココヤシダストを改質したことを特徴とする。
【０００９】
また、本発明における請求項２記載のココヤシダスト改質培土は、請求項１において、リン酸またはリン酸塩により腐熟化処理を行った後、水酸化カルシウムまたはカルシウム塩により適正なｐＨ値に調整し、かつ炭酸カルシウム及びドロマイトの両方又はいずれか一方により適正なｐＨ値に安定化させたココヤシダストよりなることを特徴とする。
【００１０】
即ち、本発明の改質培土は、リン酸又はリン酸塩により腐熟化され、水酸化カルシウム又はカルシウム塩の添加により適正ｐＨ（例えば、ｐＨ６．０〜７．０）の範囲に調整されたココヤシダスト改質培土である。
【００１１】
本発明において腐熟化促進剤として用いるリン酸水溶液は、工業用として０．０５％（Ｖ／Ｖ）濃度のものでｐＨ２．５付近というｐＨ域であり、培土のｐＨ調整工程において直接皮膚等に付着しても硫酸或いは硝酸等の鉱酸に比較して極めて安全である。
また、０．０２〜０．０６％（Ｖ／Ｖ）程度の希釈濃度のリン酸処理、それに続く水酸化カルシウムによるｐＨ調整を効果的に行い、さらにドロマイトと炭酸カルシウにより安定化した適性ｐＨを保持することができる。
【００１２】
ここで、リン酸によるココヤシダストの腐熟化方法について述べる。この場合のリン酸は、０．０２〜０．０６％（Ｖ／Ｖ）の濃度範囲で用いるのが好ましい。一般に、の濃度範囲のリン酸によってココヤシダストを腐熟化し、ｐＨ５．５〜６．５の範囲に調整することができる。正確には、原料となるココヤシダストのｐＨ、水分及びＥＣ値に応じて適宜対応する。
【００１３】
次いで、水酸化カルシウムにより改質培土としてｐＨ６．０〜７．０の範囲でｐＨ調整を行う。この調整時間は通常３０〜６０分であるが、機械的に攪拌を加えること煮より、より短時間でｐＨ調整を完了することができる。
【００１４】
次に、固液分離・乾燥を行う。固液分離は、濾過、遠心分離又は傾斜法等により行うことができる。固液分離で得られた湿潤ケーキを風乾または加熱（例えば、８０°Ｃ前後）で乾燥し、恒量にまで至らせる。また、固液分離で生じた液相は、そのまま再使用することができ、液相にリン酸又はリン酸塩を追加して再使用することもできる。
【００１５】
【発明の実施の形態】
以下、本発明の実施例について説明する。
（実施例１）
まず、８５％濃度のリン酸水溶液（工業用）を試供した。即ち、リン酸としてそれぞれ８０ｍｌ、８５ｍｌ、９５ｍｌ、１００ｍｌを準備し、未処理のココヤシダストを３００Ｌづつ、これにそれぞれｐＨ６．５、ＥＣ値０．２ｍＳ／ｃｍの地下水２００Ｌ、２７０Ｌ、２３０Ｌ、３００Ｌを加え、１５分間機械により混合攪拌した。
上記において、腐熟化促進剤として用いるリン酸水溶液は、工業用として０．０３％（Ｖ／Ｖ）程度の希釈濃度のリン酸処理、これに続く水酸化カルシウムによるｐＨ調整をきわめて効果的に行うことができる。
【００１６】
次に、水酸化カルシウム３２０ｇ、３５０ｇ、５００ｇ、４５０ｇ並びに炭酸カルシウム１２０ｇ、１５０ｇ、０ｇ、１５０ｇを加え、さらに１５分間機械により混合攪拌した。
【００１７】
この混合攪拌後、攪拌機から固形分を取り出し、コンクリートを打設した乾燥場で２４時間天日乾しを行い、さらにドロマイト２００ｇ、１７０ｇ、４５０ｇ、１５０ｇを加え、手で十分攪拌した。このようにして得られたそれぞれの試料ココヤシダストＮｏ．１〜Ｎｏ．４について、ｐＨを次の方法で測定した。
【００１８】
ビーカーにそれぞれの試料のココヤシダスト５ｇを秤取り、これに蒸留水１００ｍｌを添加、ガラス棒で十分攪拌した後、濾過した浸漬液のｐＨをガラス電極法で測定した。このｐＨ値をリン酸腐熟化処理並びに水酸化カルシウム、炭酸カルシウム及びドロマイトによるｐＨ調整後の改質ココヤシダストのｐＨ値とした。
【００１９】
実施例１（ココヤシダスト、水、リン酸、水酸化カルシウム、炭酸カルシウム及びドロマイト使用量）での改質ココヤシダストのｐＨ値及びＥＣ値は、表１に示す通りである。
【表１】
2004097131.tif 000002
【００２０】
上記の表１から明らかなように、原料のココヤシダストは、含有量換算で約０．０２〜０．０６％の希薄なリン酸溶液で効果的に腐熟化された。また、水酸化カルシウム、炭酸カルシウム及びドロマイトにより容易にｐＨ調整することができ、本発明のココヤシダスト改質培土を得ることができた。
【００２１】
以下に、上記の実施例で得られたココヤシダスト改質培土Ｎｏ．１〜Ｎｏ．４におけるコマツナの発芽率に及ぼす影響を調べた。その方法は、ガラス製ペトリ皿（直径９ｃｍ）にろ紙１枚を敷き、上記の各ココヤシダスト改質培土の加熱抽出液を５ｍｌ入れ、これに種子４０粒を蒔いた。そして、２５℃、３０００Ｌｕｘ、１６時間日長の培養室にペトリ皿を静置し、５日後に発芽している個体数を発芽数とした。この試験を繰り返し１０回行い、合計１０回のうち、最高及び最低の発芽数を除き、８反復の結果を集計した。未処理のココヤシダスト培土の加熱抽出液及び蒸留水のそれぞれについても同様の発芽試験を行った。
【００２２】
その結果、未処理のココヤシダスト培土の発芽率は７０％、蒸留水による発芽率は７７％、本発明によるココヤシダスト改質培土の発芽率は８５％以上という結果を得ることができた。
【００２３】
【発明の効果】
以上説明したように、植物や微生物に利用可能なリン酸又は可溶性リン酸塩から選ばれる１種以上を含む腐熟化促進剤、その後の水酸化カルシウム又はカルシウム塩によるｐＨ調整、及びドロマイトと炭酸カルシウムによるｐＨ値の安定化を達成したココヤシダスト改質培土は、ココヤシダストに含まれるフェノール類等が結合した有害有機酸の分解を促進し、同時に、土壌中での生分解性（現象としては窒素飢餓）を抑制することが可能となる。
【００２４】
さらに、本発明のココヤシダスト改質培土によれば、植物に不足するリン酸、カルシウム及びマグネシウム等も十分に供給することができる。
【００２５】
本発明において、改質培土の主原料であるココヤシダストの腐熟化促進剤として用いるリン酸水溶液は、濃度的にも極めて安全に扱うことができ、さらにはそれに続く水酸化カルシウムによるｐＨ調整を極めて効果的に行うことができる。
【００２６】
また、本発明においては、リン酸、水酸化カルシウムの精製度が低いものであっても培土のｐＨ調整を行うことができる。従って、低コストかつ簡便な方法で容易に改質培土を製造することができる。
【００２７】
さらに、本発明の改質培土は、上記のように植物の発芽向上及び生育促進に極めて有効である上、リン酸のキレート作用により、無機栄養源の可溶化が促進されるため、植物の成長や有用な土壌微生物の増殖促進効果が得られる。
【００２８】
以上の本発明によるココヤシダスト改質培土は、施設園芸等の農業用土壌、或いは造園土木の植栽分野等の植物栽培全般の土壌改良剤として好適するものである。